(57)【要約】【課題】  異種の光源を有する照明器具による同時演出を円滑に行える調光システムを提供する。【解決手段】  調光システム１は、それぞれ異種の光源８，９を有する複数の照明器具２，３と、調光信号に応じて光源８，９の光出力を制御する調光器４，５と、個々の照明器具２，３による被照射面の照度を測定可能な照度計６と、操作部１０の調光操作レベルに応じた調光信号を出力する調光制御部１１を備え、調光制御部１１は、照度計６が測定した照度から調光信号に対する一の基準テーブルデータ、他のテーブルデータおよび補正用テーブルデータを作成する補正用テーブルデータ作成手段１８と、操作部１０の調光操作レベルに応じた調光信号に応じて基準テーブルデータに対応する調光器４に調光信号を出力し、補正用テーブルデータの調光操作レベルに応じた調光信号を他のテーブルデータに対応する調光器５に出力する出力制御手段１９を有して形成されている。【選択図】図２
2013051140.tif 000002
【特許請求の範囲】
【請求項１】
それぞれ異種の光源を有する複数の照明器具と；
この照明器具に対応して設けられ、調光信号に応じて光源の光出力を制御する調光器と；
個々の照明器具による被照射面の照度を測定可能な照度計と；
操作部と、この操作部の調光操作レベルに応じた調光信号を出力する調光制御部と、この調光制御部から出力された調光信号に応じて一の照明器具の光源を点灯したときに照度計が測定した照度から前記調光信号に対する照度比を演算し、照明器具毎に調光操作レベルに対する照度比のテーブルデータを作成するとともに、いずれか一のテーブルデータを基準テーブルデータとして設定し、基準テーブルデータ以外のテーブルデータに関して、このテーブルデータの調光操作レベルに対する照度比と基準テーブルデータの調光操作レベルに対する照度比とを対比して基準テーブルデータの照度比に最も近い照度比の調光操作レベルを補正用テーブルデータとして作成し保存する補正用テーブルデータ作成手段と、操作部の調光操作レベルに応じた調光信号を基準テーブルデータに対応する照明器具に対応する調光器に出力し、基準テーブルデータ以外のテーブルデータに対応する照明器具に対しては補正用テーブルデータの調光操作レベルに応じた調光信号を対応する調光器に出力する出力制御手段と、を有して形成されている調光操作装置と；
を具備していることを特徴とする調光システム。
【請求項２】
調光操作装置は、補正用テーブルデータを作成するときに、操作されることにより設定信号を出力する操作設定部を有し、調光制御部は、前記操作設定部から出力された設定信号を入力すると、各照明器具の光源が０〜１００％の調光操作レベルで順次変化されて点灯するように調光信号を出力し、補正用テーブルデータを作成し保存するまでの一連の操作を行うように形成されていることを特徴とする請求項１記載の調光システム。
【発明の詳細な説明】
【技術分野】
【０００１】
本発明の一実施形態は、それぞれ異種の光源が配設された照明器具を備える調光システムに関する。
【背景技術】
【０００２】
舞台やスタジオ等の演出用の照明として、消費電力が小さく、長寿命であり、色光の選択ができる発光ダイオードを光源とする照明装置が用いられている。また、ハロゲンランプ（白熱ランプ）を光源とする照明装置も今までどおり用いられている。そして、発光ダイオードおよびハロゲンランプは、それぞれ調光器を用いて調光点灯されている。
【０００３】
発光ダイオードおよびハロゲンランプを同一の場所で調光点灯させて使用する場合、発光ダイオードおよびハロゲンランプのそれぞれの調光曲線は異なっているので、ハロゲンランプの調光レベルの光出力比と同一となるように、発光ダイオードに流れる電流を調整して発光ダイオードの調光レベルを変更している（例えば特許文献１参照。）。
【先行技術文献】
【特許文献】
【０００４】
【特許文献１】特開２００４−３２７１５２号公報（第７頁、第７図）
【発明の概要】
【発明が解決しようとする課題】
【０００５】
しかしながら、発光ダイオードに流れる電流を調整する調光器は、メーカーや機種などの要因により照明器具に適合しにくく、調光信号に対して発光ダイオードの調光レベルを調整してもハロゲンランプの光出力比と同一にしにくい。これにより、調光卓からの調光信号に対して発光ダイオードおよびハロゲンランプが異なる光出力比で点灯して、舞台やスタジオ等における演出効果を円滑に行えないことがある。
【０００６】
本発明の実施形態は、異種の光源を有する照明器具による同時演出を円滑に行える調光システムを提供することを目的とする。
【課題を解決するための手段】
【０００７】
本実施形態の調光システムは、照明器具、調光器、照度計、調光操作装置を有して構成される。
【０００８】
複数の照明器具は、それぞれ異種の光源を有するものである。
【０００９】
調光器は、少なくとも光源が異種である照明器具に対応して設けられる。そして、調光信号を入力し、この調光信号に応じて光源の光出力を制御するように形成される。
【００１０】
照度計は、個々の照明器具による被照射面の照度を測定する。
【００１１】
調光操作装置は、操作部、この操作部の調光操作レベルに応じた調光信号を出力する調光制御部、補正用テーブルデータ作成手段および出力制御手段を有して形成される。
【００１２】
補正用テーブル作成手段は、調光制御部から出力された調光信号に応じて一の照明器具の光源を点灯したときに、照度計が測定した照度から前記調光信号に対する照度比を演算し、照明器具毎に調光操作レベルに対する照度比のテーブルデータを作成するとともに、いずれか一のテーブルデータを基準テーブルデータとして設定し、基準テーブルデータ以外のテーブルデータに関して、このテーブルデータの調光操作レベルに対する照度比と基準テーブルデータの調光操作レベルに対する照度比とを対比して基準テーブルデータの照度比に最も近い照度比の調光操作レベルを補正用テーブルデータとして作成し保存するものである。
【００１３】
また、出力制御手段は、操作部の調光操作レベルに応じた調光信号を基準テーブルデータに対応する照明器具に対応する調光器に出力し、基準テーブルデータ以外のテーブルデータに対応する照明器具に対しては補正用テーブルデータの調光操作レベルに応じた調光信号を対応する調光器に出力するものである。
【発明の効果】
【００１４】
本実施形態の調光システムによれば、調光操作装置の調光制御部は、操作部の調光操作レベルに応じた調光信号を基準テーブルデータに対応する調光器に出力し、基準テーブルデータ以外のテーブルデータに対応する照明器具に対しては補正用テーブルデータの調光操作レベルに応じた調光信号を対応する調光器に出力するので、複数の照明器具は、それぞれ照度計が計測した照度の照度比となるようにそれぞれの光源がそれぞれの調光レベルで点灯して、それぞれほぼ同一の照度比で照明することができて、異種の光源を有する照明器具による同時演出を円滑に行うことが期待できる。
【図面の簡単な説明】
【００１５】
【図１】本発明の一実施形態を示す調光システムの概略ブロック図である。
【図２】同じく、調光制御部の概略ブロック図である。
【図３】同じく、一の基準テーブルデータの作成を示す説明図である。
【図４】同じく、他のテーブルデータの作成を示す説明図である。
【図５】同じく、補正用テーブルデータの作成を示す説明図である。
【発明を実施するための形態】
【００１６】
以下、本発明の一実施の形態について、図面を参照して説明する。
本実施形態の調光システム１は、図１に示すように、複数の照明器具２，３、調光器４，５、照度計６および調光操作装置７を有して構成される。
【００１７】
照明器具２は、光源としてハロゲンランプ８が配設された既知のものである。また、照明器具３は、ハロゲンランプと異種の光源である発光ダイオード９を有するＬＥＤ器具であり、既知の構成により形成されている。照明器具３内には、発光ダイオード９を点灯する図示しない点灯装置を配設している。照明器具２，３は、それぞれ複数個が設けられている。また、照明器具２，３は、それぞれ所定の色光を放射する。ここで、ハロゲンランプを有する照明器具２は、今まで使用されてきた既存の照明器具とし、発光ダイオード９を有する照明器具３を新規の照明器具とする。
【００１８】
調光器４は、照明器具２に接続され、調光器５は、照明器具３に接続されている。すなわち、調光器３，４は、照明器具２，３に対応して設けられている。調光器４は、調光操作装置７から送信された調光信号に応じて、図示しない交流電源から入力する交流電圧を位相制御し、この位相制御した交流電圧をハロゲンランプ８に供給する既知の構成により形成されている。すなわち、調光器４は、入力した調光信号に応じてハロゲンランプ８の光出力（調光レベル）を制御する。
【００１９】
また、調光器５は、調光操作装置７から送信された調光信号を入力し、調光信号に応じたオンデューティを有するＰＷＭ信号を生成して、照明器具３の図示しない点灯装置に出力する既知の構成により形成されている。点灯装置は、ＰＷＭ信号のオンデューティな応じた調光レベルで発光ダイオード９を点灯するものである。すなわち、調光器５は、入力した調光信号に応じて発光ダイオード９の光出力（調光レベル）を制御する。
【００２０】
なお、調光器４は、１個又は複数個の照明器具２のいずれに接続されていてもよく、調光器５は、同じく１個又は複数個の照明器具３のいずれに接続されていてもよい。
【００２１】
照度計６は、個々の照明器具２，３によって照明される被照射面の照度を測定するものであり、照度を測定するときに、例えば照明器具２，３の直下の被照射面に設置される。照度は、個々の照明器具２，３毎に測定される。照度計６は、測定した照度を電圧値に変換して出力するように形成されている。そして、照度計６は、調光操作装置７に接続され、測定した照度を調光操作装置７に出力する。
【００２２】
調光操作装置７は、例えば調光卓であり、照明器具２のハロゲンランプ８および照明器具３の発光ダイオード９を調光点灯させる調光信号を出力するものである。調光操作装置７は、操作部１０、調光制御部１１および操作設定部１２を有して構成されている。また、ディスプレイ画面等の図示しない表示部などを備えている。
【００２３】
操作部１０は、手動操作される図示しないフェーダやエンコーダ等の操作子を備え、この操作子の操作（操作量）に応じた調光操作レベル信号を電圧値にて調光制御部１１に出力するように形成されている。調光制御部１１は、操作部１０から出力された調光操作レベル信号に応じて調光信号を調光器４および調光器５に出力するように形成されている。
【００２４】
調光信号は、例えば２５６階調を有するＤＭＸ信号である。ＤＭＸ信号は、米国劇場技術協会（ＵＳＩＴＴ）が規格した演出分野などに用いられるデジタル信号であり、調光制御用の調光信号の規格として用いられているＤＭＸ５１２を指している。ＤＭＸ信号の０〜２５５階調は、ハロゲンランプ８および発光ダイオード９の調光レベル０〜１００％に対応している。
【００２５】
調光設定部１２は、手動操作されるプッシュ釦等の図示しない操作釦を備え、この操作釦が操作されることにより設定信号を所定の電圧値で調光制御部１１に出力するように形成されている。調光制御部１２は、当該設定信号を入力すると、０階調〜２５５階調のＤＭＸ信号を順次調光器４，５に出力する。これにより、ハロゲンランプ８または発光ダイオード９は、順次０〜１００％の調光レベルで点灯される。
【００２６】
また、調光設定部１２は、０〜１００％の調光レベルで点灯させる特定の照明器具２，３を選択する図示しない選択釦を備えている。この選択釦の操作により、選択された特定の照明器具２，３に対応している調光器４，５に、調光制御部１１から０階調〜２５５階調のＤＭＸ信号が順次出力される。
【００２７】
そして、調光制御部１１は、図２に示すように、主制御部１３、記憶手段としての記憶部１４、入力部１５、出力部１６および電源部１７を１有して形成されている。そして、主制御部１３および入力部１５により補正用テーブル作成手段１８が形成され、主制御部１３、記憶部１４および出力部１６により出力制御手段１９が形成されている。
【００２８】
主制御部１３は、マイコンを有して形成され、ＣＰＵ（中央処理装置）２０がＲＯＭ２１に記憶されているＲＯＭ１３に記憶されているプログラムに基づいて各種演算や制御動作する。そして、主制御部１３は、補正用テーブルデータを作成するものである。
【００２９】
補正用テーブルデータは、既存の照明器具である照明器具２および新規の照明器具である照明器具３の調光信号に対する照度をそれぞれ測定して作成される。まず、操作設定部１２において既存の照明器具３の一を選択し、操作釦を操作して設定信号を出力させる。このとき、照度計６は、選択される既存の照明器具３の直下の被照射面に設置される。
【００３０】
操作設定部１２から出力された設定信号は、主制御部１３に入力される。主制御部１３は、プログラムに基づいて、調光階調を０階調から２５５階調に順次増加させて、調光信号を出力部１６から調光器４に出力させる。ここで、調光階調は、調光信号の一周期時間（例えば２０ｍｓ）毎に増加される。
【００３１】
調光器４は、０階調〜２５５階調の調光信号に応じて照明器具２のハロゲンランプ８を調光レベル０〜１００％で点灯させる。照明器具３の直下の照度は、ハロゲンランプ８の調光レベルの増加に伴って増加していき、調光レベル１００％のときに最大の照度値になる。そして、照明器具３の直下の照度は、照度計６により測定されて調光制御部１１の入力部１５に入力されて主制御部１３に入力される。主制御部１３には、図３の表１に示すように、調光階調０〜２５５に応じた測定値が入力される。なお、表１中、０〜２５５の調光階調を調光操作レベル０〜１００％で表記している。この表記は、調光階調０〜２５５がハロゲンランプ８の調光レベル０〜１００％に対応しているものであり、また、ハロゲンランプ８の調光レベル（光出力）と区別するものである。以下の表２〜表６についても同様である。
【００３２】
主制御部１３は、入力した照度値を演算中ＲＡＭ２２に記憶させる。また、演算した演算値もＲＡＭ２２に記憶させる。
【００３３】
そして、主制御部１３は、入力した照度の測定値に対してオフセット補正を演算する。すなわち、調光操作レベル０％（０階調の調光信号）のときは、ハロゲンランプ８は消灯している状態であり、このときに照度計６が測定する照度値は、外光等であるので、調光操作レベル毎に外光等による照度値（表１中、１００ルクス）を入力した測定値から差し引く。
【００３４】
このオフセット補正後の照度値に対して、主制御部１３は、調光操作レベル０〜１００％（調光階調０〜２５５）に対する既存の照明器具３の照度比を演算する。すなわち、調光操作レベル１００％（調光階調２５５）のときの照度比を１００％として、各調光操作レベルの照度値に対する比率を演算する。これにより、表２に示すように、調光操作レベル０〜１００％（調光階調０〜２５５）に対する既存の照明器具３の照度比のテーブルデータが作成される。このテーブルデータは、記憶部１４に記憶されて保存される。
【００３５】
そして、新規の照明器具２の一に対して、上記のようにして、テーブルデータが作成される。すなわち、図４に示す表３から表４に示すテーブルデータが作成される。こうして、異種の光源のる照明器具３，４毎に上記テーブルデータが作成される。
【００３６】
そして、主制御部１３は、図５の表５に示すように、例えば既存の照明器具２のテーブルデータの一を基準テーブルデータとして設定し、新規の照明器具３のテーブルデータなどの他のテーブルデータを対象テーブルデータとして設定し、両者のテーブルデータを対比する。そして、調光操作レベル毎に、対象テーブルデータの当該調光操作レベルにおける照度比に最も近い基準テーブルデータの照度比を演算し、その演算した照度比に対応する基準テーブルデータの調光操作レベルを対象テーブルデータ（新規の照明器具３のテーブルデータ）とするものである。
【００３７】
これにより、新規の照明器具３の対象テーブルデータは、その調光操作レベルが既存の照明器具２の基準テーブルデータの調光操作レベルに対して、表６に示すように変換される。例えば、調光操作レベル３のときに、既存の照明器具２の基準テーブルデータに対しては、調光操作レベル３であるが、新規の照明器具３の対象テーブルデータに対しては、調光操作レベル２に変換（補正）される。また、調光操作レベル５のときに、既存の照明器具２の基準テーブルデータに対しては、調光操作レベル５であるが、新規の照明器具３の対象テーブルデータに対しては、調光操作レベル４に変換（補正）される。こうして、新規の照明器具３に対する補正用テーブルデータが作成される。
【００３８】
図２において、主制御部１３は、操作部１０から調光操作レベル信号が出力されると、この信号の電圧値に対応する調光信号の調光階調をプログラムにより演算して出力部１６から調光器４に出力させる。また、主制御部１３は、記憶部１４から補正用テーブルデータを読み出して、この補正用テーブルデータから操作部１０の調光操作レベル信号に応じて演算した調光信号の調光階調（調光操作レベル）に対応する調光信号の調光階調（調光操作レベル）を演算し、この調光階調を有する調光信号を調光器５に出力するように形成されている。
【００３９】
なお、上述したように、補正用テーブル作成手段１８および出力制御手段１９は、主制御部１３（マイコン）を有して形成されるので、本発明の上記照明器具２，３の制御は、照明される結果で判断される。
【００４０】
次に、本発明の実施形態の作用について述べる。
【００４１】
操作部１０の操作子が操作されると、調光制御部１１の主制御部１３は、プログラムに基づいて、操作子の調光操作レベルに応じた調光階調を有する調光信号を出力部１６から調光器４に出力する。調光器４は、調光信号の調光階調に応じてハロゲンランプ８の調光レベルを制御する。
【００４２】
そして、主制御部１３は、調光器４に出力した調光信号の調光階調（調光操作レベル）に対応する補正用テーブルデータの調光信号を演算して、当該調光信号を出力部１６から調光器５に出力する。調光器５は、調光信号の調光階調に応じて発光ダイオード９の調光レベルを制御する。
【００４３】
ハロゲンランプ８および発光ダイオード９は、それぞれの照明器具２，３の照明光の照度比がほぼ近い状態となるように、それぞれの調光レベルで点灯する。
【００４４】
本実施形態の調光システム１によれば、調光操作装置７の調光制御部１１は、操作部１０の調光操作レベルに応じた調光信号を基準テーブルデータに対応する照明器具２の調光器４に出力し、基準テーブルデータ以外の対象テーブルデータに対応する照明器具３に対しては補正用テーブルデータの調光操作レベルに応じた調光信号を対象テーブルデータに対応する照明器具３に対応する調光器５に出力するので、複数の照明器具２，３は、それぞれ照度計６が計測した照度の照度比となるようにそれぞれのハロゲンランプ８および発光ダイオード９がそれぞれの調光レベルで点灯して、それぞれほぼ同一の照度比で照明することができて、異種の光源８，９を有する照明器具２，３による同時演出を円滑に行うことができるという効果を有する。
【００４５】
また、調光制御部１１は、操作設定部１２から出力された設定信号を入力すると、各照明器具２，３の光源８，９が０〜１００％の調光操作レベルで順次変化されて点灯するように調光信号を出力し、補正用テーブルデータを作成し保存するまでの一連の操作を行うように形成されているので、補正用テーブルデータを自動的に作成することができて、省力化を図ることができるという効果を有する。
【符号の説明】
【００４６】
１…調光システム、  ２，３…照明器具２，５…調光器、  ６…照度計、  ７…調光操作装置、  １０…操作部、  １１…調光制御部、  １２…操作設定部、  １４…記憶手段としての記憶部、  １８…補正用テーブル作成手段、  １９…出力制御手段
【図１】
2013051140.tif 000003
【図２】
2013051140.tif 000004
【図３】
2013051140.tif 000005
【図４】
2013051140.tif 000006
【図５】
2013051140.tif 000007